(57)【要約】  【課題】  ペン先の径方向への傾きや折れ曲がりの進行により、キャップ装着時におけるキャップ内壁面とペン先との接触による、キャップ内のインキ洩れを抑え、キャップ外し時でのキャップ内からのインキ流出や、キャップと軸筒との密嵌部分に付着したインキが乾燥することによって生じる、キャップ装着でのペン先乾燥などの問題点を解決する。  【解決手段】  軸筒内にインキを収容し、このインキの吐出部となる繊維または多孔質体よりなるペン先を軸筒の空気流通溝が形成される先端開口部内面に固定し、ペン先の筆記部分を軸筒の先端開口部より突出させてなる筆記具であって、軸筒の先端開口部内面に、ペン先の外面を圧着固定するペン先圧着凸部を設け、ペン先にこのペン先圧着凸部に固定する側となる後方部と筆記部分を形成する側となる前方部とを区画すると共に、軸筒のペン先圧着凸部の先端部分と当接してペン先を軸筒に係止させる段部を設けた筆記具。【選択図】  図１
2012245749.tif 000002
【特許請求の範囲】
【請求項１】
軸筒内にインキを収容し、このインキの吐出部となる繊維または多孔質体よりなるペン先を軸筒の空気流通溝が形成される先端開口部内面に固定し、ペン先の筆記部分を軸筒の先端開口部より突出させてなる筆記具であって、軸筒の先端開口部内面に、ペン先の外面を圧着固定するペン先圧着凸部を設け、ペン先にこのペン先圧着凸部に固定する側となる後方部と筆記部分を形成する側となる前方部とを区画すると共に、軸筒のペン先圧着凸部の先端部分と当接してペン先を軸筒に係止させる段部を設けた筆記具。
【請求項２】
前記軸筒の前記ペン先圧着凸部の内接径が、前記ペン先の前記前方部の径の９５％以下に形成されている請求項１記載の筆記具。
【請求項３】
前記ペン先の前記前方部と前記後方部を区画する前記段部から前記ペン先の最先端までの長さが、前記ペン先の前記前方部の径以下である請求項１乃至請求項２に記載の筆記具。
【発明の詳細な説明】
【技術分野】
【０００１】
本発明は、筆記具の軸筒内にインキを収容し、このインキの吐出部となる繊維または多孔質体よりなるペン先を、軸筒の、インキの吐出に伴って変化する軸筒内の圧力調整を行うために軸筒内に空気を取り込む空気流通溝を形成した先端開口部内面に固定し、ペン先の筆記部分を軸筒の先端開口部より突出させてなる筆記具に関するものである。
【背景技術】
【０００２】
筆記において安定した筆跡を得るためには、ペン先が筆記具の軸筒に保持され、筆記面から受けるペン先への荷重によって生じる、ペン先の振動や揺れを極力抑える必要がある。
【０００３】
特に一般的な筆記では、筆記具を傾斜して筆記面へ押し当て、ペン先が筆記面からの荷重を受けた状態で使用される。この時、筆記具は傾斜しているため、ペン先は先端から側方部分が筆記面と接することとなり、筆記面から受けるペン先への荷重は、ペン先の先端から軸線方向へのものだけではなく、ペン先の側方部分から径方向へのものも付加されることとなる。したがって、筆記面から受けるペン先への荷重によって生じる、ペン先の振動や揺れを抑え、筆記において安定した筆跡を得るために、例えば、ペン先の後方に段部を設け、軸筒内にも設けられた段部に当接して係止させ、軸線方向にペン先を軸筒に保持させると共に、軸筒の先端開口部内面に軸線方向の複数の突部を設け、この突部がペン先の側方部分に圧着するようになして、径方向にペン先を軸筒に保持させたもの（特許文献１）などが知られている。
【先行技術文献】
【特許文献】
【０００４】
【特許文献１】特開２００９−９２０号公報
【発明の概要】
【発明が解決しようとする課題】
【０００５】
特許文献１に記載の発明では、軸筒の先端開口部の内面に軸線方向の複数の突部を設けているため、径方向へのペン先の振動や揺れを低減することができるものの、複数の突部よりも後方に軸筒とペン先との係止部が形成されているので、筆記面からペン先が受けた径方向への荷重は、係止部を支点として、複数の突部の方向へ付加されることになる。このため、複数の突部間には、少なくとも空気流通溝となる隙間が形成されることになるので、繰り返しの使用や過剰な筆圧などによって、突部間に形成されている隙間へのペン先変形が生じ、ペン先全体が径方向に傾いたり、折れ曲がったりすることが生じることとなる。ペン先全体が径方向に傾いたり、折れ曲がったりしたとしても、ペン先に振動や揺れなどが生じて安定した筆跡が著しく損なわれるなどということはない。
しかしながら、ペン先の径方向への傾きや折れ曲がりが進行すると、キャップ装着時において、キャップ内壁面とペン先が接触することになるため、キャップ内壁面とペン先が接触すると、インキのキャップ内壁面への付着ぬれや、キャップ内壁面とペン先との接触部分と非接触部分との間に形成される僅かな隙間に発生する毛細管力によって、インキがペン先から排出されることになり、キャップ内におけるインキ洩れが生じ、キャップ外し時における、キャップ内からのインキの流出や、キャップと軸筒との密嵌部分に付着したインキの乾燥によって、キャップと軸筒との密閉性が損なわれ、ペン先が乾燥して使用できなくなるなどの問題点があった。
また、ペン先の側方部の全体を被覆するよう圧着した場合においては、インキの吐出に伴って変化する、軸筒内の圧力調整を行う空気を、取り込むための空気流通溝がなくなるため、空気の取り込み手段を別のものとすることも可能ではあるが、この場合、空気の取り込み口がキャップ装着によって外気遮断させることができなくなるため、軸筒内のインキが蒸発して減少したり、物性変化を生じたりするなど、新たな問題点が生じてしまうことになる。
【課題を解決するための手段】
【０００６】
本発明は、軸筒内にインキを収容し、このインキの吐出部となる繊維または多孔質体よりなるペン先を軸筒の空気流通溝が形成される先端開口部内面に固定し、ペン先の筆記部分を軸筒の先端開口部より突出させてなる筆記具であって、軸筒の先端開口部内面に、ペン先の外面を圧着固定するペン先圧着凸部を設け、ペン先にこのペン先圧着凸部に固定する側となる後方部と筆記部分を形成する側となる前方部とを区画すると共に、軸筒のペン先圧着凸部の先端部分と当接してペン先を軸筒に係止させる段部を設けた筆記具を要旨とするものである。
【発明の効果】
【０００７】
軸筒とペン先とが係止する位置が、軸筒に保持されているペン先の側方部よりも前方となるため、筆記面から受ける径方向の荷重により生じるペン先の変形は、ペン先の後方部と前方部を区画する段部を支点として行われ、ペン先の側方部に付加することを抑制し得る。これにより、ペン先全体の変形が防止されるため、キャップ装着時におけるキャップ内壁面とペン先との接触が極力抑制されることとなり、キャップ内からのインキ流出や、キャップと軸筒との密嵌部分に付着したインキが乾燥することによって生じる、キャップ装着でのペン先の乾燥を抑えるものとし得る。
【図面の簡単な説明】
【０００８】
【図１】一例を示す縦断面図。
【図２】図１のＸ−Ｘ線断面図。
【図３】他の一例を示す縦断面図。
【発明を実施するための形態】
【０００９】
本発明の筆記具は、軸筒内にインキを収容し、このインキの吐出部となる繊維または多孔質体よりなるペン先を、軸筒の、インキの吐出に伴って変化する軸筒内の圧力調整を行うために軸筒内に空気を取り込む空気流通溝を形成した先端開口部内面に固定し、ペン先の筆記部分を軸筒の先端開口部より突出させてなる筆記具であればよく、軸筒は、内部に自由状態でインキを収容する、所謂、生インキ式と呼ばれるものや、繊維収束体などにインキを吸蔵する、所謂、中綿式と呼ばれるものなどとすることができる。生インキ式のものとしては、収容したインキの圧力水頭を保持し得る弁部材を配置した弁式のものや、軸筒内部の圧力上昇によるペン先からのインキ洩れ抑制するために、一時的にインキを収容する一時的インキ溜め部を設けたもの、ノックなどの外部からの押圧によって弁部材を開口させて、ペン先からの吐出に必要な量のインキを吸蔵体に供給させるものなどが使用できる。また、中綿式のものとしては、ポリエチレンテレフタレート繊維、ポリプロピレン繊維を接着剤や、融点の異なる繊維を溶融することによって収束させた繊維収束体や、ウレタンなどの合成樹脂を発泡や溶出により連通多孔を形成した連通多孔質体、ポリエチレンテレフタレート、ポリプロピレン、ポリエチレンなどの合成樹脂を小球体や粉末状にして堆積させた粒状物の集合体などのインキ吸蔵体を使用することができる。
【００１０】
インキタンクに収容されるインキとしては、水を含有する水性インキ、イソプロピルアルコールなどの有機溶剤を主溶剤とする油性インキ、染料、顔料、又はこれら両方を着色剤として使用したものなどを問わず使用できる。特に、繊維または多孔質体よりなるペン先のインキ供給性を考慮すると、インキ粘度が、１〜１００ｍＰａ・ｓ（Ｂ型粘度計Ｎｏ．３ローター、６０ｒｐｍ、２５℃）であるような比較的低粘度ものが良好である。
【００１１】
軸筒の先端開口部の内面に、ペン先の外面が圧着固定される、軸筒の先端開口部内面は、軸筒内に収容されたインキが吐出することによって、軸筒内に生じた減圧状態を元に戻す圧力調整ために、外気から軸筒内に空気を取り込む空気流通溝が形成されるものであればよい。例えば、軸筒の先端開口部の内面に、軸線方向に複数のペン先圧着凸部を形成し、この各ペン先圧着凸部間の隙間を空気流通溝としたものや、軸筒の先端開口部の内面とペン先の外面との間に、隙間なくペン先圧着凸部として連通多孔質部材を配置して、この連通多孔質体を介して、軸筒の先端開口部の内面に、ペン先の外面が圧着固定されるようになしてもよい。
【００１２】
筆記具に使用されるペン先は、ポリエチレンテレフタレート繊維、ポリアミド繊維、ポリアクリロニトリル繊維などを接着剤などによって収束させた繊維収束体を適宜形状に研磨切削により加工したものや、ポリエチレンなどのオレフィン系樹脂、または、ペン先に弾性を持たせるためにこれらの樹脂にエラストマー含有させたものを射出成形した後、熱処理によって連通多孔を形成して硬化させる焼結体などが例示できる。また、ペン先の形状としては、軸筒の先端開口部の内面に、ペン先の外面を圧着固定する側となる後方部と、軸筒から先端が突出して筆記部分を形成する側となる後方部よりも径の大きい前方部とに区画する段部を形成するようになせばよい。また、段部の角度や形状は、後方部と前方部とが区画され、ペン先の先端から軸線方向へ受ける筆記時の荷重に対して係止し、ペン先の保持が可能であれば、垂直形状の他、テーパ状、Ｒ状などペン先の製造の容易性や、筆記時におけるインキの供給性などに応じて適宜設定できる。また、特に、軸筒のペン先圧着凸部の内接径が、ペン先の前方部の径の９５％以下となるように形成されていれば、自ずと、ペン先の保持が確実となる段部を形成することができる。
【００１３】
ペン先の後方部と前方部とを区画する段部と当接させる、軸筒のペン先圧着凸部の先端部分の段部としては、ペン先の保持を損なわない形状などでなければ特に限定されず、軸筒やペン先圧着凸部の成形性、組立時の軸筒へのペン先挿入性などに応じて適宜なすことができる。また、段部が軸筒のペン先圧着凸部の先端部分に形成されることによって、筆記面から受ける径方向の荷重により生じるペン先の変形は、ペン先の後方部と前方部を区画する段部を支点として行われるので、ペン先が径方向に軸筒に圧着している後方部の変形が抑制され、ペン先全体の変形が防止されることになるが、更に、後方部と前方部とを区画する段部からペン先最先端までの長さが、ペン先の前方部の径以下とすれば、ペン先の後方部と前方部を区画する段部、即ち、ペン先が変形しようする際の支点と、筆記面から受ける径方向の荷重によって変形しようとする際の作用点との距離が極力短くなるため、後方部だけでなく前方部の変形をも低減させることができる。
【００１４】
キャップとしては、キャップ装着時に、ペン先をキャップ内面に非接触状態で被覆させ、軸筒と密閉してペン先の乾燥性を防止するものであり、インキやペン先に含浸したインキの蒸気などによって、膨潤、融解、溶解、分解などによる反応によって形状変化を生じないものであれば、特に材質の制約はなく、ポリプロピレン、ポリエチレン、ポリエチレンテレフタレート、ポリアミド、ポリエチレンナフタレート、ポリブチレンテレフタレート、ポリアセタール、ポリカーボネート、ポリスチレン、エチレン・ビニルアルコール共重合体、ポリメタクリレートなどの合成樹脂やエラストマーによる射出成形品や金属の切削加工品など筆記具の形状や透明などのデザインや用途に応じて適宜使用できる。
【実施例】
【００１５】
以下、図面に基づき一例について説明する。図１及び図１のＸ−Ｘ線断面図である図２に示したものは、軸筒である、外部からのインキ１の残量を視認できるように、透明性を有するポリプロピレン製の射出成形品より形成されているインキタンク２内に、主溶媒であるエタノールに、黒色の顔料を分散させて、表面張力３０．８ｍＮ／ｍで、３ｍＰａ・ｓ（Ｂ型粘度計Ｎｏ．３ローター、６０ｒｐｍ、２５℃）の低粘度に設定してある、ホワイトボードマーカー用の油性顔料のインキ１を自由状態で７ｃｃ収容し、ノック部３のノックによる押圧によって弁部４を開口させて、吐出に必要なインキ１を、軸筒の一部となるポリプロピレン製の射出成形品より形成されている前軸５の先端部分に、エラストマーを約３０％含有させたポリエチレンを射出成形した後、熱処理によって連通多孔を形成して硬化させた焼結体よりなる気孔率７０％、飽和インキ量が２．１ｃｃのペン先６を筆記部分が突出するように接続されている、所謂、ノック式ホワイトボードマーカーと呼ばれる筆記具の一例である。インキ１の表面張力は、ペン先６への浸透性、吐出性、筆跡のにじみを考慮して、２０ｍＮ／ｍ〜４０ｍＮ／ｍとすることが好ましい。本例では、インキ１の主溶剤であるエタノールの反応性がなく、インキタンク２及び前軸５の軸筒からのインキ減量を加味して、水蒸気透過度が比較的低いポリプロピレンをインキタンク２及び前軸５の材質として使用したが、特に、インキタンク１及び前軸５の材質に制約はなく、使用するインキ１の主溶剤との反応性等に応じて適宜設定できる。
また、ペン先６は前方部６ａの径Ａが１２．３７ｍｍ、後方部６ｂの径が１１．０ｍｍとし、ペン先が前方部６ａと後方部６ｂに区画されるように、段部６ｃが形成されており、図１のＸ−Ｘ線断面図である図２にも示すように、前軸５に形成されている軸線方向に形成されている４つの凸部５ａに、ペン先６の後方部６ｂが圧着されると共に、凸部５ａの先端段部５ｂにペン先６の段部６ｃが係止して前軸５にペン先６が固定している。
更に、ペン先６の段部６ｃからペン先６の最先端部までの長さＢを１２．０ｍｍとし、前軸５の先端から突出するペン先６の長さを、筆記に際して支障がないものとすると共に、筆記時の筆記面からペン先６に対して受ける径方向の荷重によって、ペン先６が変形しようとする際の、変形における支点と作用点との距離をできるだけ短くなるようにして、ペン先６の前方部６ａの変形を低減させるものとしている。
本例のホワイトボードマーカーは、複数の相手に対して講義や会議を行う用途であるため、見えやすく筆記するために、ペン先６の前方部６ａの径Ａを１２．３７ｍｍとし、筆跡巾が最大１２．０ｍｍとなる筆記具の中でも比較的大きいものとしている。このため、ペン先６からのインキ１の吐出量が多く、このインキ１の吐出量と同量のインキ１が、再度ペン先６へ供給されて安定した筆記追従性が得られるように、ペン先６自身に十分なインキ１を蓄えられるように飽和インキ量を２．１ｃｃとし、連続且つ、持続した筆記などを想定し、さらにペン先６の後方には、インキ１をペン先６に、補充供給するための予備タンクとなる、ポエステル繊維の収束体であり、飽和インキ量が２．５ｃｃであるインキ吸蔵体７が、前部をペン先６、後部を後述する蓋部９の前方筒部９ａにより挾着固定して配置されている。また、ペン先６内のインキ１の減少に応じて、インキ吸蔵体７から速やかにインキ１がペン先６へ供給されるように、ペン先６よりもインキ吸蔵体７の毛管ぬれがわるくなるように、インキ吸蔵体７の気孔率を９８％としている。
尚、安定した筆記追従性を得るための手段は、本例に限られるものではなく、液体は毛管ぬれなどの毛管力が低いところから高いところへ移動するのという一般的な自然法則を守る構成にしさえすれば、用途や、想定される筆記などに応じて、インキ吸蔵体７の気孔率や飽和インキ量、材質、種類、他の成形部材やその突起などによる圧縮、ペン先６とインキ吸蔵体７の一体化、中空化したインキ吸蔵体７の中空部分へのペン先６や他の誘導芯の連通などの適宜構成にて設定することができる。また、毛管ぬれなどの毛管力を操作する方法としては、ペン先６やインキ吸蔵体７の気孔率や材質、特に本例のような焼結体によるペン先６の場合では、エラストマー及び樹脂の材質や配合比率による方法のほか、例えば、フッ素やシリコーン粉末などを用いたインキ吸蔵体７の疎インキ処理による毛管ぬれの改質、反対にシリカ粉末などを用いたペン先６の親インキ処理による毛管ぬれの改質などが挙げられる。親インキ処理の具体的な方法の例として、本例のペン先６を用いた場合を挙げると、まず、ペン先６の原材料となるポリエチレンのペレットを、シリカ粉末をイソプロピルアルコールで分散させた溶液に浸漬させ、浸漬後乾燥し、成形及び熱処理により作製すればよい。そのほかの方法としては、シリカ粉末などの無機粉末をインキ１の主溶剤などのインキ１と親和性のある液体に分散させた溶液に、ペン先６を直接浸漬させたり、インキ１の物性や顔料の粒子径を小さくさせたりして得るなども例示できる。
また、インキ吸蔵体７は、ポリエステル繊維のほか、アクリル繊維、ナイロン繊維、レーヨン系繊維、ポリプロピレン繊維などの繊維束体である中綿や、ポリエチレン樹脂、ウレタン系樹脂などの軟質樹脂の連通気孔多孔質体などが例示でき、更に、本例では、インキ吸蔵体７を、ペン先６のインキ１が減少した際、インキ１をペン先６に補充供給するための予備タンクとして用いたが、ペン先６及びインキ１の吐出などの仕様や用途によっては、ノック部３のノックによる押圧によって弁部４を開口させた際、過剰にインキ１がペン先６に供給してインキ１がボタ落ちすることを抑制するためのインキ溜め部として用いることもできる。
【００１６】
前述の通り、前軸５の先端開口部の内面には、図１のＩ−Ｉ’線断面図である図２にも示すように、ペン先６の後方部６ｂが圧着される４つの凸部５ａが軸線方向に形成されている。この４つの凸部５ａの内接円の径は、ペン先６の後方部６ｂを圧着状態にするために、ペン先６の後方部６ｂの径よりも小さくなるように１０．５０ｍｍ、ペン先６の後方部６ｂと圧着する部分の長さを、１９．６ｍｍに設定している。また、４つの凸部５ａの間は、ペン先６及びペン先６の後方に配置したインキ吸蔵体７へのインキ１の補充供給、又は、インキタンク２に収容されたインキ１の減少によって生じたインキタンク２内の減圧状態を元に戻す圧力調整のために、ノック部３のノックによる押圧によって弁部４を開口させた際、空気を外気より速やかに取り込むことができるように、開口面積が４９．７ｍｍ２の空気流通溝５ｃとしている。
特に、本例のペン先６は、前述の通り筆跡巾が最大１２．０ｍｍとなるので、筆記具の中でも比較的インキ１の吐出量が多く、また、ペン先６の飽和インキ量が２．１ｃｃ、インキ吸蔵体７の飽和インキ量が２．５ｃｃであるため、ペン先６及びインキ吸蔵体７への補充供給に必要なインキ１の量は非常に多く、これに対して取り込む必要のある空気も多量となるので、ペン先６の後方部６ｂと圧着する部分の長さ１９．６ｍｍに対して、開口面積を４９．７ｍｍ２とすることで、速やかに、且つ、十分な量の空気の取り込みが可能となる。但し、凸部５ａの形状や数、空気流通溝５ｃの長さや開口面積の数値、形状、数は、本例に限定されるものではなく、インキ１の種類、ペン先６の形状及び寸法、ペン先６及びインキ吸蔵体７の飽和インキ量などの仕様や用途に応じたインキ１の吐出量に対して、必要な空気が取り込めるものであればよい。例えば、本例の１／１０のインキ１の吐出量の場合、空気流通溝５ｃの開口面積は、長さ１９．６ｍｍに対して約５ｍｍ２以上、長さを約１０ｍｍ程度にしたとしても、約７ｍｍ２以上あれば、十分に空気の取り込みが可能となるので、ペン先６の後方部６ｂへの圧着性能に応じて、空気流通溝５ｃの長さ及び開口面積を設定し、凸部５ａの数を１つ又は成形性などに応じて２つ以上設置してもよいし、凸部５ａの巾を広げるなどなしても良い。
また、前述した通り、前軸５の凸部５ａの先端段部５ｂにペン先６の段部６ｃが係止して前軸５にペン先６が固定され、ペン先６の前軸５への挿入の位置決めをすると共に、筆記面から受ける荷重によって、ペン先６の前軸５より突出した筆記部分が、軸筒内に没入することを防止している。
【００１７】
ペン先６の前方には、ポリプロピレンを射出成形により形成したキャップ８が、キャップ８の内壁面８ａとペン先６が接触しないように、ペン先６を被覆し前軸５と密嵌装着されている。前述の通り、前軸５の先端段部５ｂとペン先６の段部６ｃが、ペン先６の後方部６ｂよりも前方で係止しているため、筆記面から受ける径方向の荷重により生じるペン先６の変形は、ペン先６の段部６ｃが支点となり、ペン先６の後方部６ｂに付加することを抑制している。このため、ペン先６全体が変形することがなくなるため、キャップ８を装着した際、キャップ８の内壁面とペン先６との接触が抑制されることとなるので、未筆記状態にてキャップ８の内壁面８ａとペン先６が接触しないような構成でさえあればよく、キャップ８を特別な形状や寸法による構成とする必要性はなく、例えば、キャップ８を、使用時にノック部３に嵌着できるようになしてノック補助体として使用しできるようになしてもよい。
【００１８】
インキ吸蔵体７の後方には、自由状態でインキ１を収容しているインキタンク２と吸蔵体を区画する蓋部９が配置され、この蓋部９の前方筒部９ａに弁座９ｂを形成し、弁部４が、ノック部３を押圧しない限り開口しないように、ノック棒１０及びバネ１１の後方付勢によってこの弁座９ｂに密接させて弁機構を形成させている。
【００１９】
ノック棒１０は、その後部がインキタンク２の、略台形型階段状の薄肉部にて形成されている可動部２ａを有する底部の、ノック棒案内部２ｂに挿入され、ノック部３を押圧することで、可動部２ａを変形させると共に、ノック棒１０及びこのノック棒１０と接続している弁部４を開放するようになしてある。
【００２０】
図３に他の一例を示す。
図３に示したものは、図１に示した例と同様の軸筒及び弁機構、インキ等を用い、ペン先６は前方部６ａの径Ａ及び、段部６ｃからペン先６の最先端部までの長さＢを１２．０ｍｍとし、ペン先６の前方部６ａの筆記面となる部分の形状を半球状になしたものである。このため、図１の例と同様、筆記時に筆記面より付加される荷重に対するペン先６の変形が極力抑えられると同時に、更に、筆記に際して、筆跡巾に方向性がなくなるほか、目的の筆跡巾とするために、ペン先６の先端形状に応じて軸筒を持ち替える煩わしさもなく、使い勝手に対しても極めて好適なものとすることができる。
【符号の説明】
【００２１】
１  インキ
２  インキタンク
２ａ  可動部
２ｂ  ノック棒案内部
３  ノック部
４  弁部
５  前軸
５ａ  凸部
５ｂ  先端段部
５ｃ  空気流通溝
６  ペン先
６ａ  前方部
６ｂ  後方部
６ｃ  段部
７  インキ吸蔵体
８  キャップ
８ａ  内壁面
９  蓋部
９ａ  前方筒部
９ｂ  弁座
１０  ノック棒
１１  バネ
【図１】
2012245749.tif 000003
【図２】
2012245749.tif 000004
【図３】
2012245749.tif 000005